(57)【要約】【課題】印刷にかかる手間を減らす。【解決手段】識別情報が付与されたデータと該データを印刷するときの印刷設定情報とを受信し、受信したデータに付与された識別情報と受信したデータを印刷するときの印刷設定情報とを対応付けて記憶手段に記憶し、且つ受信した印刷設定情報を用いて受信したデータが印刷されるように制御する。記憶手段に記憶されている識別情報が付与されたデータ及び該データを印刷するときの印刷設定情報を新たに受信した場合に、該新たに受信した印刷設定情報に代えて該識別情報に対応付けて記憶手段に記憶されている印刷設定情報を用いて該受信したデータが印刷されるように制御する。【選択図】図４
2011198289.tif 000002
【特許請求の範囲】
【請求項１】
識別情報が付与されたデータと前記データを印刷するときの印刷設定情報とを受信する受信手段と、
前記受信手段で受信したデータに付与された識別情報と前記受信したデータを印刷するときの印刷設定情報とを対応付けて記憶手段に記憶し、且つ前記受信した印刷設定情報を用いて前記受信したデータが印刷されるように制御する第１の制御手段と、
前記受信手段で、前記記憶手段に記憶されている識別情報が付与されたデータ及び該データを印刷するときの印刷設定情報を新たに受信した場合に、該新たに受信した印刷設定情報に代えて該識別情報に対応付けて前記記憶手段に記憶されている印刷設定情報を用いて該受信したデータが印刷されるように制御する第２の制御手段と、
を備えた印刷制御装置。
【請求項２】
識別情報が付与されたデータと前記データを印刷するときの印刷設定情報とを受信する受信手段と、
前記受信手段で受信したデータに付与された識別情報と前記受信したデータを印刷するときの印刷設定情報とを対応付けて記憶手段に記憶し、且つ前記受信した印刷設定情報を用いて前記受信したデータが印刷されるように制御する第１の制御手段と、
前記受信手段で、前記記憶手段に記憶されている識別情報が付与されたデータ及び該データを印刷するときの印刷設定情報を新たに受信した場合に、該識別情報に対応付けて前記記憶手段に記憶されている印刷設定情報と前記新たに受信した印刷設定情報とのいずれかを、前記新たに受信したデータの送信元に選択させる選択手段と、
前記選択された印刷設定情報を用いて前記受信したデータが印刷されるように制御する第２の制御手段と、
を備えた印刷制御装置。
【請求項３】
前記選択手段で前記新たに受信した印刷設定情報が選択された場合に、前記記憶手段に記憶されている印刷設定情報を、前記新たに受信した印刷設定情報に変更する変更手段と、
を更に備えた請求項２に記載の印刷制御装置。
【請求項４】
前記選択手段で前記新たに受信した印刷設定情報が選択された場合に、前記新たに受信した印刷設定情報を前記識別情報に対応付けて前記記憶手段に更に記憶する記憶処理手段と、
を更に備えた請求項２に記載の印刷制御装置。
【請求項５】
識別情報が付与されたデータと前記データを印刷するときの印刷設定情報とを受信する受信手段と、
前記受信手段で受信したデータを印刷する印刷手段と、
前記受信手段で受信したデータに付与された識別情報と前記受信したデータを印刷するときの印刷設定情報とを対応付けて記憶手段に記憶し、且つ前記受信した印刷設定情報を用いて前記受信したデータが印刷されるように制御する第１の制御手段と、
前記受信手段で、前記記憶手段に記憶されている識別情報が付与されたデータ及び該データを印刷するときの印刷設定情報を新たに受信した場合に、該新たに受信した印刷設定情報に代えて該識別情報に対応付けて前記記憶手段に記憶されている印刷設定情報を用いて該受信したデータが印刷されるように前記印刷手段を制御する第２の制御手段と、
を備えた印刷装置。
【請求項６】
識別情報が付与されたデータと前記データを印刷するときの印刷設定情報とを受信する受信手段と、
前記受信手段で受信したデータを印刷する印刷手段と、
前記受信手段で受信したデータに付与された識別情報と前記受信したデータを印刷するときの印刷設定情報とを対応付けて記憶手段に記憶し、且つ前記受信した印刷設定情報を用いて前記受信したデータが印刷されるように制御する第１の制御手段と、
前記受信手段で、前記記憶手段に記憶されている識別情報が付与されたデータ及び該データを印刷するときの印刷設定情報を新たに受信した場合に、該識別情報に対応付けて前記記憶手段に記憶されている印刷設定情報と前記新たに受信した印刷設定情報とのいずれかを、前記新たに受信したデータの送信元に選択させる選択手段と、
前記選択された印刷設定情報を用いて前記受信したデータが印刷されるように前記印刷手段を制御する第２の制御手段と、
を備えた印刷装置。
【請求項７】
コンピュータを、
識別情報が付与されたデータと前記データを印刷するときの印刷設定情報とを受け付ける受付手段と、
前記受付手段で受け付けたデータに付与された識別情報と前記受け付けたデータを印刷するときの印刷設定情報とを対応付けて記憶手段に記憶し、且つ前記受け付けた印刷設定情報を用いて前記受け付けたデータが印刷されるように制御する第１の制御手段と、
前記受付手段で、前記記憶手段に記憶されている識別情報が付与されたデータ及び該データを印刷するときの印刷設定情報を新たに受け付けた場合に、該新たに受け付けた印刷設定情報に代えて該識別情報に対応付けて前記記憶手段に記憶されている印刷設定情報を用いて該受け付けたデータが印刷されるように制御する第２の制御手段と、
として機能させるためのプログラム。
【請求項８】
コンピュータを、
識別情報が付与されたデータと前記データを印刷するときの印刷設定情報とを受け付ける受付手段と、
前記受付手段で受け付けたデータに付与された識別情報と前記受け付けたデータを印刷するときの印刷設定情報とを対応付けて記憶手段に記憶し、且つ前記受け付けた印刷設定情報を用いて前記受け付けたデータが印刷されるように制御する第１の制御手段と、
前記受付手段で、前記記憶手段に記憶されている識別情報が付与されたデータ及び該データを印刷するときの印刷設定情報を新たに受け付けた場合に、該識別情報に対応付けて前記記憶手段に記憶されている印刷設定情報と前記新たに受け付けた印刷設定情報とのいずれかを、前記新たに受け付けたデータの送信元に選択させる選択手段と、
前記選択された印刷設定情報を用いて前記受け付けたデータが印刷されるように制御する第２の制御手段と、
として機能させるためのプログラム。
【発明の詳細な説明】
【技術分野】
【０００１】
本発明は、印刷制御装置、印刷装置、及びプログラムに関する。
【背景技術】
【０００２】
複数の機能の操作画面を表示する制御部と、操作ミス管理項目毎の操作ミス回数を記憶する記憶部とを備え、操作ミスがあった場合、上記制御部が、上記記憶部の該当する管理項目の操作ミス回数を１増加し、操作ミス回数が予め定められた値以上となった場合、上記制御部が、該当項目を表示する操作画面に注意メッセージを表示することを特徴とする装置が知られている（特許文献１参照。）。
【０００３】
また、サーバ上に保管された文書情報、印刷設定情報をもとに、インターネットを介して印刷物を出力するとき、印刷装置が印刷設定情報の印刷設定を実現できない場合、代替手段を提案するネットワーク印刷システムも知られている（特許文献２参照。）。
【先行技術文献】
【特許文献】
【０００４】
【特許文献１】特開２００９−１８２９０８号公報
【特許文献２】特開２００４−３６２４８６号公報
【発明の概要】
【発明が解決しようとする課題】
【０００５】
本発明は、印刷設定情報の再利用が不能な構成に比べて、印刷にかかる手間を減らすことができる印刷制御装置、印刷装置、及びプログラムを提供することを目的とする。
【課題を解決するための手段】
【０００６】
請求項１の発明は、識別情報が付与されたデータと前記データを印刷するときの印刷設定情報とを受信する受信手段と、前記受信手段で受信したデータに付与された識別情報と前記受信したデータを印刷するときの印刷設定情報とを対応付けて記憶手段に記憶し、且つ前記受信した印刷設定情報を用いて前記受信したデータが印刷されるように制御する第１の制御手段と、前記受信手段で、前記記憶手段に記憶されている識別情報が付与されたデータ及び該データを印刷するときの印刷設定情報を新たに受信した場合に、該新たに受信した印刷設定情報に代えて該識別情報に対応付けて前記記憶手段に記憶されている印刷設定情報を用いて該受信したデータが印刷されるように制御する第２の制御手段と、を備えた印刷制御装置である。
【０００７】
請求項２の発明は、識別情報が付与されたデータと前記データを印刷するときの印刷設定情報とを受信する受信手段と、前記受信手段で受信したデータに付与された識別情報と前記受信したデータを印刷するときの印刷設定情報とを対応付けて記憶手段に記憶し、且つ前記受信した印刷設定情報を用いて前記受信したデータが印刷されるように制御する第１の制御手段と、前記受信手段で、前記記憶手段に記憶されている識別情報が付与されたデータ及び該データを印刷するときの印刷設定情報を新たに受信した場合に、該識別情報に対応付けて前記記憶手段に記憶されている印刷設定情報と前記新たに受信した印刷設定情報とのいずれかを、前記新たに受信したデータの送信元に選択させる選択手段と、前記選択された印刷設定情報を用いて前記受信したデータが印刷されるように制御する第２の制御手段と、を備えた印刷制御装置である。
【０００８】
請求項３の発明は、請求項２に記載の印刷制御装置において、前記選択手段で前記新たに受信した印刷設定情報が選択された場合に、前記記憶手段に記憶されている印刷設定情報を、前記新たに受信した印刷設定情報に変更する変更手段と、を更に備えている。
【０００９】
請求項４の発明は、請求項２に記載の印刷制御装置において、前記選択手段で前記新たに受信した印刷設定情報が選択された場合に、前記新たに受信した印刷設定情報を前記識別情報に対応付けて前記記憶手段に更に記憶する記憶処理手段と、を更に備えている。
【００１０】
請求項５の発明は、識別情報が付与されたデータと前記データを印刷するときの印刷設定情報とを受信する受信手段と、前記受信手段で受信したデータを印刷する印刷手段と、前記受信手段で受信したデータに付与された識別情報と前記受信したデータを印刷するときの印刷設定情報とを対応付けて記憶手段に記憶し、且つ前記受信した印刷設定情報を用いて前記受信したデータが印刷されるように制御する第１の制御手段と、前記受信手段で、前記記憶手段に記憶されている識別情報が付与されたデータ及び該データを印刷するときの印刷設定情報を新たに受信した場合に、該新たに受信した印刷設定情報に代えて該識別情報に対応付けて前記記憶手段に記憶されている印刷設定情報を用いて該受信したデータが印刷されるように前記印刷手段を制御する第２の制御手段と、を備えた印刷装置である。
【００１１】
請求項６の発明は、識別情報が付与されたデータと前記データを印刷するときの印刷設定情報とを受信する受信手段と、前記受信手段で受信したデータを印刷する印刷手段と、前記受信手段で受信したデータに付与された識別情報と前記受信したデータを印刷するときの印刷設定情報とを対応付けて記憶手段に記憶し、且つ前記受信した印刷設定情報を用いて前記受信したデータが印刷されるように制御する第１の制御手段と、前記受信手段で、前記記憶手段に記憶されている識別情報が付与されたデータ及び該データを印刷するときの印刷設定情報を新たに受信した場合に、該識別情報に対応付けて前記記憶手段に記憶されている印刷設定情報と前記新たに受信した印刷設定情報とのいずれかを、前記新たに受信したデータの送信元に選択させる選択手段と、前記選択された印刷設定情報を用いて前記受信したデータが印刷されるように前記印刷手段を制御する第２の制御手段と、を備えた印刷装置である。
【００１２】
請求項７の発明は、コンピュータを、識別情報が付与されたデータと前記データを印刷するときの印刷設定情報とを受け付ける受付手段と、前記受付手段で受け付けたデータに付与された識別情報と前記受け付けたデータを印刷するときの印刷設定情報とを対応付けて記憶手段に記憶し、且つ前記受け付けた印刷設定情報を用いて前記受け付けたデータが印刷されるように制御する第１の制御手段と、前記受付手段で、前記記憶手段に記憶されている識別情報が付与されたデータ及び該データを印刷するときの印刷設定情報を新たに受け付けた場合に、該新たに受け付けた印刷設定情報に代えて該識別情報に対応付けて前記記憶手段に記憶されている印刷設定情報を用いて該受け付けたデータが印刷されるように制御する第２の制御手段と、として機能させるためのプログラムである。
【００１３】
請求項８の発明は、コンピュータを、識別情報が付与されたデータと前記データを印刷するときの印刷設定情報とを受け付ける受付手段と、前記受付手段で受け付けたデータに付与された識別情報と前記受け付けたデータを印刷するときの印刷設定情報とを対応付けて記憶手段に記憶し、且つ前記受け付けた印刷設定情報を用いて前記受け付けたデータが印刷されるように制御する第１の制御手段と、前記受付手段で、前記記憶手段に記憶されている識別情報が付与されたデータ及び該データを印刷するときの印刷設定情報を新たに受け付けた場合に、該識別情報に対応付けて前記記憶手段に記憶されている印刷設定情報と前記新たに受け付けた印刷設定情報とのいずれかを、前記新たに受け付けたデータの送信元に選択させる選択手段と、前記選択された印刷設定情報を用いて前記受け付けたデータが印刷されるように制御する第２の制御手段と、として機能させるためのプログラムである。
【発明の効果】
【００１４】
請求項１に記載の発明によれば、印刷設定情報の再利用が不能な構成に比べて、印刷にかかる手間を減らすことができる。
【００１５】
請求項２に記載の発明によれば、印刷設定情報の再利用が不能な構成に比べて、印刷にかかる手間を減らすことができる。
【００１６】
請求項３に記載の発明によれば、記憶した印刷設定情報の変更が不能な構成に比べて、利用者の使い勝手が向上する。
【００１７】
請求項４に記載の発明によれば、印刷設定情報を追加して記憶することが不能な構成に比べて、様々な状況に対応した印刷設定情報を選択して利用することができる。
【００１８】
請求項５に記載の発明によれば、印刷設定情報の再利用が不能な構成に比べて、印刷にかかる手間を減らすことができる。
【００１９】
請求項６に記載の発明によれば、印刷設定情報の再利用が不能な構成に比べて、印刷にかかる手間を減らすことができる。
【００２０】
請求項７に記載の発明によれば、印刷設定情報の再利用が不能な構成に比べて、印刷にかかる手間を減らすことができる。
【００２１】
請求項８に記載の発明によれば、印刷設定情報の再利用が不能な構成に比べて、印刷にかかる手間を減らすことができる。
【図面の簡単な説明】
【００２２】
【図１】プリントサーバ、プリンタ、及びクライアント装置の接続例を示す図である。
【図２】プリントサーバの構成の一例を示す図である。
【図３】プリンタの構成の一例を示す図である。
【図４】プリントサーバで行われる処理ルーチンのフローチャートの一例を示す図である。
【図５】プリントサーバで行われる処理ルーチンのフローチャートの一例を示す図である。
【図６】クライアント装置に表示される確認画面の一例を示す図である。
【図７】クライアント装置に表示される確認画面の一例を示す図である。
【図８】クライアント装置に表示される確認画面の一例を示す図である。
【図９】印刷設定情報変更前の印刷結果及び印刷設定情報変更後の印刷結果の一例を示す図である。
【図１０】クライアント装置において、プリンタドライバ等のソフトウェアにより提供される設定画面で印刷設定情報が指定された様子を示す図である。
【図１１】印刷設定情報変更前の印刷結果及び印刷設定情報変更後の印刷結果の一例を示す図である。
【図１２】クライアント装置において、プリンタドライバ等のソフトウェアにより提供される設定画面で印刷設定情報が指定された様子を示す図である。
【図１３】プリントサーバで行われる処理ルーチンのフローチャートの他の例を示す図である。
【図１４】クライアント装置に表示される確認画面の一例を示す図である。
【図１５】クライアント装置に表示される確認画面の一例を示す図である。
【図１６】プリンタ及びクライアント装置の接続例を示す図である。
【発明を実施するための形態】
【００２３】
以下、図面を参照して、実施の形態について詳細に説明する。
【００２４】
本実施の形態では、図１に示すように、複数のクライアント装置１０とプリントサーバ１２とが通信手段１６を介して接続されている。なお、通信手段１６は、公衆回線であってもよいし、インターネット、ＬＡＮ(Local Area Network)、ＷＡＮ(Wide Area Network)等のネットワークであってもよい。また、通信手段１６を、無線の通信手段としてもよいし、有線の通信手段としてもよい。プリントサーバ１２には、通信手段１６を介さずに又は通信手段１６を介してプリンタ１４が接続されている。
【００２５】
クライアント装置１０は、プリンタ１４に原稿の画像を印刷させるための印刷情報を生成してプリントサーバ１２に送信する。印刷情報には、印刷対象のデータと、該データを印刷するときの印刷設定情報とが含まれる。データには、データを識別するための識別情報が付与されている。
【００２６】
識別情報は、ファイル名であってもよいし、インターネット等のネットワーク上に存在するデータを印刷する場合には、その存在場所を示すＵＲＬ（Uniform Resource Locator）であってもよい。また、識別情報が、請求書や納品書など、データの種類を示す情報であってもよい。例えば、ファイル名が異なっていても、形式が等しい帳票等のデータについては、どの利用者が印刷しても共通の形式で印刷されるよう印刷設定情報を登録して再利用したい場合もある（登録の詳細は後述）。従って、識別情報をデータの種類を表す情報としてもよい。
【００２７】
また、印刷設定情報は、データを印刷するときのプリンタ１４の印刷条件を指定したものであり、例えば、該データにおける印刷範囲、拡大・縮小の有無、印刷する用紙のサイズ、両面印刷・片面印刷の指定、印刷する用紙に対する原稿の向き、カラー・白黒の指定、画質等の設定情報が含まれている。
【００２８】
なお、本実施の形態では、印刷対象のデータと該データを印刷するときの印刷設定情報とを含む印刷情報をクライアント装置１０からプリントサーバ１２に送信する例について説明するが、データと該データを印刷するときの印刷設定情報とを別々に送信するようにしてもよい。
【００２９】
プリントサーバ１２は、クライアント装置１０から受信した印刷情報を解析し、印刷情報に含まれるデータ及び印刷設定情報に基づいてビットマップの画像データ（ラスタイメージデータ）に展開し（ＲＩＰ処理：Raster Image Process）、プリンタ１４に出力する。また、プリントサーバ１２は、印刷情報に含まれる印刷設定情報に基づいて、プリンタ１４が動作するように制御命令を生成して出力する。
【００３０】
プリンタ１４は、プリントサーバ１２から出力された画像データ及び制御命令に基づいて画像を印刷する。
【００３１】
図２は、プリントサーバ１２の構成の一例を示す図である。
【００３２】
本実施の形態のプリントサーバ１２は、ＣＰＵ（Central Processing Unit）２０、ＲＯＭ（Read Only Memory）２１、ＲＡＭ（Random Access Memory）２２、表示部２３、操作部２４、ＨＤＤ（Hard Disk Drive）２５、通信ＩＦ（Interface）２６、及びＩＦ（Interface）２７がバス２８を介して接続されて構成されている。
【００３３】
ＣＰＵ２０は、ＲＯＭ２１やＨＤＤ２５に記憶されているプログラムを実行し、プリントサーバ１２全体の動作を制御する。ＲＯＭ２１には、ＣＰＵ２０が実行するプログラムやＣＰＵ２０の処理に必要なデータ等が記憶されている。ＲＡＭ２２は、ワークメモリとして使用される。
【００３４】
ＨＤＤ２５には、ＣＰＵ２０が実行するプログラムや各種データが記憶されている。また、データの識別情報と該データを印刷するときの印刷設定情報（以下、設定情報と略称する）とが対応付けて記憶される記憶領域を備えている。また、該記憶領域には、データと設定情報とをプリントサーバ１２に送信した送信元を識別する識別情報（以下、データの識別情報と区別するため、送信元ＩＤと呼称する）も記憶される。以下では、ＨＤＤ２５の該記憶領域に識別情報、設定情報、及び送信元ＩＤを対応付けて記憶することを「登録する」という。
【００３５】
なお、ＣＰＵ２０が実行するプログラムを記憶するための記憶媒体は、ＨＤＤ２５やＲＯＭ２１に限定されない。例えば、フレキシブルディスクやＤＶＤディスク、光磁気ディスクやＵＳＢメモリ（ユニバーサルシリアルバスメモリ）等（不図示）であってもよいし、通信手段１６に接続された他の装置の記憶装置であってもよい。
【００３６】
表示部２３は、例えば、液晶ディスプレイ等により構成され、ＣＰＵ２０の制御により各種画像やメッセージ等を表示する。また、操作部２４は、例えば、キーボードやマウス等により構成され、利用者が操作部２４を操作することより各種情報が指定される。
【００３７】
通信ＩＦ２６は、通信手段１６を介して他の装置とデータの送受信を行うためのインタフェースである。
【００３８】
ＩＦ２７は、プリンタ１４に接続するためのインタフェースである。
【００３９】
なお、前述したクライアント装置１０も、プリントサーバ１２と同様の構成である。ただし、クライアント装置１０でＣＰＵが実行するプログラムには、各種アプリケーションソフトや、印刷対象のデータを印刷するための印刷情報を生成して送信するためのプログラムなどが含まれる。
【００４０】
図３は、プリンタ１４の構成の一例を示す図である。ここでは、通信手段１６を介さずにプリントサーバ１２に接続されたプリンタ１４の構成の一例について説明する。
【００４１】
プリンタ１４は、ＣＰＵ（Central Processing Unit）３０、ＲＯＭ（Read Only Memory）３１、ＲＡＭ（Random Access Memory）３２、印刷部３３、及びＩＦ（Interface）３４がバス３５を介して接続されて構成されている。
【００４２】
ＣＰＵ３０は、ＲＯＭ３１に記憶されているプログラム（例えば、プリントサーバ１２から画像データ及び制御命令を受信し、該受信した画像データ及び制御命令に基づいて印刷されるよう印刷部３３を制御するプログラムなどを含む）実行し、プリンタ１４全体の動作を制御する。ＲＯＭ３１には、ＣＰＵ３０が実行するプログラムやＣＰＵ３０の処理に必要なデータ等が記憶されている。ＲＡＭ３２は、ワークメモリとして使用される。
【００４３】
なお、ＣＰＵ３０が実行するプログラムを記憶するための記憶媒体は、ＲＯＭ３１に限定されない。例えば、フレキシブルディスクやＤＶＤディスク、光磁気ディスクやＵＳＢメモリ等（不図示）であってもよい。
【００４４】
ＩＦ３４は、プリントサーバ１２に接続するためのインタフェースである。
【００４５】
印刷部３３は、画像を印刷するプリントエンジンであって、プロセス方向に沿って上流側から下流側に向かって、Ｙ（イエロー）色の画像を形成するＹ画像形成ユニット、Ｍ（マゼンタ）色の画像を形成するＭ画像形成ユニット、Ｃ（シアン）色の画像を形成するＣ画像形成ユニット、Ｋ（ブラック）色画像を形成するＫ画像形成ユニットが、タンデム状に配設され、更に中間転写ベルト、一次転写ユニット、二次転写ユニット、定着装置を含んで構成されている。Ｙ画像形成ユニット、Ｍ画像形成ユニット、Ｃ画像形成ユニット、及びＫ画像形成ユニットは、それぞれ、感光体と、感光体の表面をそれぞれ帯電させる帯電器と、帯電した感光体をそれぞれに対応する画像データに基づいて露光して静電潜像を形成する露光装置と、静電潜像が形成された感光体の表面に、各画像形成ユニットに対応した色のトナーを付着させて現像する現像装置とを備えている。そして、各画像形成ユニットの現像装置で現像された各トナー像が、各画像形成ユニット毎に設けられた一次転写ユニットにより各感光体から中間転写ベルトへ転写され重ね合わされる。更に、二次転写ユニットにより中間転写ベルト上のトナー像が電気的に引き寄せられ、記録用紙に転写される。そして、記録用紙に転写されたトナー像は、定着装置で記録用紙に定着される。
【００４６】
なお、ここでは、中間転写ベルトを用いた印刷部を例示して説明したが、中間転写ベルトを介さず直接記録用紙にトナー像を転写するものであってもよい。また、ここでは、タンデム型の電子写真方式の印刷部を例示したが、これに限定されず、例えば、回転式の現像装置が設けられた印刷部であってもよい。すなわち、１つの感光体、１つの帯電器、１つの露光装置、ＹＭＣＫ各色のトナーを供給する現像装置を備え、帯電器で帯電させた感光体にＹＭＣＫ各色毎に画像データに基づいて静電潜像を形成してトナーで現像することにより、各色のトナー像を順に形成して中間転写ベルトに順次転写し、各トナー像を重ね合わせた上で記録用紙に転写し、定着するものである。また、電子写真方式に限らず、記録ヘッドからＹＭＣＫ各色毎の画像データに応じてＹＭＣＫ各色毎のインク滴を吐出し、記録用紙を搬送させながら印刷するインクジェット方式の印刷部であってもよい。また、Ｋ色単色の画像を印刷する印刷部であってもよい。
【００４７】
なお、ここでは図示を省略するが通信手段１６に直接接続されたプリンタ１４の場合には、上記構成の他、通信手段１６に接続するための通信ＩＦが備えられている。
【００４８】
次に、本実施の形態における印刷の流れを説明する。
【００４９】
まず、クライアント装置１０において、利用者が印刷させたいデータを指定すると共に、プリンタドライバ等のソフトウェアにより提供される設定画面（例えば、図１０参照）から設定情報を指定することにより、該ソフトウェアで前述したように印刷情報が生成され、生成された印刷情報はプリントサーバ１２に送信される。プリントサーバ１２は、通信ＩＦ２６により印刷情報を受信すると、プリントサーバ１２のＣＰＵ２０が予め定められたプログラムを実行することにより、通信ＩＦ２６から該印刷情報が受け付けられてＲＡＭ２１やＨＤＤ２５に格納され、図４及び図５に示す処理ルーチンが実行される。ここでは、一例としてデータＡという識別情報が付与されたデータの印刷情報が受信された場合を例に挙げて説明する。
【００５０】
ステップ１００では、データＡの設定情報が既に登録されているか否かを判断する。なお、ここでは、既に登録されている設定情報と受信した印刷情報に含まれる設定情報との異同は問わない。ステップ１００で否定判断した場合にはステップ１０２に進む。
【００５１】
ステップ１０２では、受信した印刷情報に含まれるデータに付与されている識別情報（データＡ）と、該受信した印刷情報に含まれる設定情報とを対応付けて登録する。また、本実施の形態では、これに加え、受信した印刷情報の送信元ＩＤも登録する。なお、本実施の形態では、このステップでの登録を仮登録として扱う。
【００５２】
ステップ１０４では、登録済設定情報（ここでは仮登録された設定情報）を用いてデータＡのデータが印刷されるように制御する。具体的には、データＡのデータが仮登録した設定情報（受信した印刷情報に含まれる設定情報）に応じた印刷条件で印刷されるように画像データ及び制御命令を生成してプリンタ１４に送信する。
【００５３】
ステップ１０６では、データＡの印刷情報を新たに受信したか、すなわち、識別情報としてデータＡが付与されたデータを印刷させるための印刷情報を新たに受信したか否かを判断する。ステップ１０６で否定判断した場合には、ステップ１０８に進み、上記データＡの印刷情報を受信してから予め設定された時間が経過したか否かを判断する。ステップ１０８で否定判断した場合には、ステップ１０６に戻る。また、ステップ１０８で肯定判断した場合には、上記ステップ１０２の仮登録を本登録として確定し、本処理ルーチンを終了する。なお、ステップ１０８では、データＡの印刷情報を受信してから予め設定された時間が経過したか否かを判断するようしたが、これに限定されず、仮登録してから予め設定された時間が経過したか否かを判断するようにしてもよいし、ステップ１０４で印刷してから予め設定された時間が経過したか否かを判断するようにしてもよい。
【００５４】
一方、ステップ１０６で肯定判断した場合には、ステップ１１０に進む。
【００５５】
ステップ１１０では、新たに受信したデータＡの印刷情報の送信元ＩＤが、仮登録されているデータＡの送信元ＩＤと同じか否かを判断する。ここで肯定判断した場合には、ステップ１１２に進む。
【００５６】
ステップ１１２では、新たに受信したデータＡの印刷情報に含まれる設定情報と、既に仮登録されているデータＡの設定情報とを比較し、変更があるか否かを判断する。ステップ１１２で肯定判断した場合には、ステップ１１４で、データＡに対応して仮登録されている設定情報を、新たに受信したデータＡの印刷情報に含まれる設定情報に変更する。その後、ステップ１１６に進む。また、ステップ１１２で変更がないと判断した場合には、ステップ１１４をスキップして、ステップ１１６に進む。なお、本実施の形態では、ステップ１１４で登録が変更された場合には、変更後の登録を本登録として確定し、ステップ１１２で設定情報の内容に変更がないと判断されステップ１１４をスキップした場合には、ステップ１０２の仮登録を本登録として確定する。
【００５７】
ステップ１１６では、登録済設定情報（ここでは、本登録として確定された設定情報であって、ステップ１０６で受信した印刷情報に含まれる設定情報）を用いてデータＡのデータが印刷されるように制御する。
【００５８】
一方、ステップ１１０で否定判断した場合には、ステップ１１８に進み、仮登録された設定情報ではなく、受信した印刷情報に含まれる設定情報を用いてデータＡのデータが印刷されるように制御する。その後、ステップ１０６に戻る。
【００５９】
このように、本実施の形態では、仮登録中に、仮登録した送信元とは異なる送信元から印刷情報が受信された場合には、仮登録中の設定情報は用いられずに受信された印刷情報の設定情報が用いられて印刷されるが、これに限定されず、例えば、仮登録中の設定情報を用いて印刷するように構成してもよい。
【００６０】
また、ステップ１０２及びステップ１１４の前に、例えば、図６に示す確認画面（以下、確認画面（１）と呼称する）の表示データを印刷情報の送信元に送信して、送信元のクライアント装置１０の表示部２３に確認画面（１）を表示させるようにしてもよい。
【００６１】
この確認画面（１）において「はい（Ｙ）」が選択指示されて、該選択結果がクライアント装置１０からプリントサーバ１２に送信された場合に、ステップ１０２の登録処理及びステップ１１４の登録変更処理が行われるようにしてもよい。
【００６２】
また、この確認画面（１）において「いいえ（Ｎ）」が選択指示されて、該選択結果がクライアント装置１０からプリントサーバ１２に送信された場合には、ステップ１０２の登録処理及びステップ１１４の登録変更処理が行われないようにしてもよい。なお、これによりステップ１０２の登録処理が行われなかった場合には、以降の処理を行わずに、処理ルーチンを終了してもよい。また、ステップ１１４の登録変更処理が行われなかった場合には、ステップ１１６で、新たに受信された設定情報を用いて印刷が行われるよう構成してもよい。更に後、ステップ１０６に戻るようにしてもよい。
【００６３】
また、受信した印刷情報に基づいた印刷が終了した後に確認画面（１）を表示して、上記のように登録するか否かを送信元に確認してからステップ１０２の登録が行われるようにしてもよい。例えば、受信した印刷情報に基づいた印刷の後に、送信元のクライアント装置１０に確認画面（１）を表示して、設定情報を登録するか否かを選択させ、登録する旨の選択結果が得られた場合には本登録の処理を行い（すなわち、登録後に本処理ルーチンを終了させる）、登録しない旨の選択結果が得られた場合には、仮登録の処理を行う（すなわち、上記と同様に、ステップ１０６以下の処理を行う）ようにしてもよい。
【００６４】
また、ステップ１０６でデータＡの新たな印刷情報を受信した場合に、該受信した印刷情報に基づいた印刷が終了してから（すなわち、ステップ１０２で登録した設定情報を用いずに新たに受信した設定情報を用いて印刷する）、送信元のクライアント装置１０に確認画面（１）を表示して、新たに受信した設定情報を登録するか否かを選択させ、該登録する旨の選択結果が得られた場合に登録変更が行われるようにしてもよい。また、ここで登録しない旨の選択結果を得て、登録変更が行われなかった場合には、再度印刷情報の受信待ちを行う（ステップ１０６に戻る）ようにしてもよい。
【００６５】
また、上記では、ステップ１０８で肯定判断した場合には、上記ステップ１０２の仮登録を本登録として確定する例について説明したが、ステップ１０８で肯定判断した場合に仮登録した内容を削除するようにしてもよい。
【００６６】
次に、ステップ１００で、肯定判断した場合の処理の流れについて説明する。ステップ１００で肯定判断した場合には、図５のステップ１２０に進む。
【００６７】
ステップ１２０では、登録済設定情報を用いて印刷するか否かを送信元に確認する確認画面（２）を表示する表示データを生成して、データＡの印刷情報の送信元に送信し、該送信元のクライアント装置１０の表示部２３に確認画面（２）を表示させる。図７に確認画面（２）の表示例を示す。クライアント装置１０の操作者は、該確認画面（２）において「はい（Ｙ）」又は「いいえ（Ｎ）」を選択指示し、プリントサーバ１２に選択結果を送信する。
【００６８】
ステップ１２２では、受信した選択結果が、登録済設定情報を用いて印刷する旨を示しているか否かを判断する。受信した選択結果が登録済み設定情報を用いて印刷する（すなわち、「はい（Ｙ）」が選択指示された）ことを示していた場合には、ステップ１２２では肯定判断され、ステップ１２４に進む。
【００６９】
ステップ１２４では、受信した印刷情報に含まれる設定情報の代わりに、登録済設定情報を用いてデータＡのデータが印刷されるように制御する。
【００７０】
一方、ステップ１２２で否定判断した場合（すなわち、受信した選択結果が「いいえ（Ｎ）」が選択指示されたことを示していた場合）には、ステップ１２６に進む。
【００７１】
ステップ１２６では、登録済設定情報を今回受信したデータＡの印刷情報に含まれる設定情報に変更するか否かを確認する確認画面（３）を表示する表示データを生成して、データＡの印刷情報の送信元に送信し、該送信元のクライアント装置１０の表示部２３に確認画面（３）を表示させる。図８に確認画面（３）の表示例を示す。クライアント装置１０の操作者は、該確認画面（２）において「はい（Ｙ）」又は「いいえ（Ｎ）」を選択指示し、プリントサーバ１２に選択結果を送信する。
【００７２】
ステップ１２８では、受信した選択結果が、登録済設定情報を今回受信したデータＡの印刷情報に含まれる設定情報に変更（登録を変更）する旨を示しているか否かを判断する。受信した選択結果が登録を変更する（すなわち、「はい（Ｙ）」が選択指示された）ことを示していた場合には、ステップ１２８では、肯定判断され、ステップ１３０に進む。
【００７３】
ステップ１３０では、データＡの登録済設定情報を、今回受信したデータＡの印刷情報に含まれる設定情報に変更する。
【００７４】
ステップ１３２では、上記変更された登録済設定情報（すなわち、上記送信元から受信した印刷情報に含まれる設定情報）を用いてデータＡのデータが印刷されるように制御する。
【００７５】
一方、ステップ１２８で否定判断した場合（すなわち、受信した選択結果が「いいえ（Ｎ）が選択指示されたことを示していた場合）には、ステップ１３４に進む。
【００７６】
ステップ１３４では、上記送信元から受信した印刷情報に含まれる設定情報を用いてデータＡのデータが印刷されるように制御する。
【００７７】
ステップ１３２とステップ１３４とで印刷に用いる設定情報は等しいが、ステップ１２８で肯定判断されると登録が変更され、ステップ１２８で否定判断されると登録は変更されないこととなる。
【００７８】
なお、ステップ１２０では、確認画面（２）を表示して、登録済設定情報を用いて印刷するか否かを送信元に選択させ、選択結果に応じて登録済設定情報を用いて印刷するか、送信元が送信した新たな印刷情報に含まれる新たな設定情報を用いて印刷するようにしたが、これに限定されず、例えば、ステップ１００で肯定判断された場合には、送信元に確認することなく、新たに受信した設定情報の代わりに登録済設定情報を用いて印刷するように制御してもよい。すなわち、ステップ１２０、１２２を行わずに、ステップ１２４を実行するように構成してもよい。
【００７９】
また、ステップ１２６では、確認画面（３）を表示して、登録済設定情報を、新たに受信した設定情報に変更するか否かを送信元に選択させ、選択結果に応じて登録変更を行うようにしたが、これに限定されず、例えば、ステップ１２２で否定判断された後は、ステップ１２６及びステップ１２８を行わずに、ステップ１３０及びステップ１３２を行うようにしてもよい。また、ステップ１２２で否定判断された後は、ステップ１２６及びステップ１２８を行わずに、ステップ１３４を行うようにしてもよい。
【００８０】
次に、具体例を挙げて、本実施の形態の作用を更に詳細に説明する。
【００８１】
Webのページ（識別情報は、該Webのページの所在を示すＵＲＬとする）を印刷する際、原稿サイズをＡ４とし、出力用紙サイズ（印刷する用紙のサイズ）をＡ４とする設定情報を含む印刷情報（１回目の印刷情報）をプリントサーバ１２に送信して印刷したところ、Ａ４用紙から印刷画像がはみ出し、Ａ４用紙１枚に収まりきらず２ページにわたって印刷された（図９（Ａ）参照。）。そこで、１回目の印刷情報を送信してから設定時間内に、図１０に示すように、設定情報の原稿サイズをＡ３に変更した２回目の印刷情報を送信して再印刷したところ、Ａ４用紙１枚に収まり、希望通りの印刷結果を得た（図９（Ｂ）参照。）。ここでは、２回目の印刷情報に含まれる設定情報が本登録されるため、その後は同じＵＲＬのページを印刷対象とする印刷情報がプリントサーバ１２で受信された場合には、本登録された２回目の設定情報が利用可能になる。
【００８２】
図４のフローチャートにあてはめて説明すると、印刷対象のWebのページの設定情報が未登録であった場合には、ステップ１００で否定判定されるため、ステップ１０２で、原稿サイズをＡ４とし、出力用紙サイズ（印刷する用紙のサイズ）をＡ４とする設定情報が仮登録されて、図９（Ａ）に示すように最初の印刷が行われる（ステップ１０４）。該Webのページの印刷情報の送信元はこの印刷結果をみて、設定時間経過前に上記のように設定情報を変更して新たに該Webのページの印刷情報を送信する。この印刷情報をプリントサーバ１２が受信すると（ステップ１０６、Ｙ）、ステップ１１０及びステップ１１２で肯定判断され、ステップ１１４で、上記仮登録されている設定情報が、該新たに送信された設定情報（原稿サイズをＡ３とし、出力用紙サイズをＡ４とする設定情報）に変更され、ステップ１１６では、該新たな設定情報が用いられて印刷され、結果として図９（Ｂ）に示す印刷結果が得られる。
【００８３】
更に、その後、別の利用者（或いは上記設定情報を本登録した送信元であってもよい）が同じＵＲＬのページを印刷対象とする印刷情報をプリントサーバ１２に送信した場合には、ステップ１００で肯定判断されるため、ステップ１２０で、上記別の利用者のクライアント装置１０の表示部２３に確認画面（２）を表示させ、登録済設定情報を用いて印刷するか否かを選択させるが、ここで、上記別の利用者が、登録済設定情報を用いて印刷するという選択結果をプリントサーバ１２に送信した場合には、ステップ１２２で肯定判断されて、ステップ１２４で、該別の利用者が送信した印刷情報に含まれる設定情報の代わりに登録済設定情報を用いて印刷が行われ、該別の利用者も、図９（Ｂ）に示す印刷結果が得られる。
【００８４】
なお、ここでは、原稿サイズをＡ３に変更する例について説明したが、これ以外にも、例えば、出力用紙サイズをＡ３に変更したり、出力用紙サイズをＢ４に変更したりしてもよい。また、出力用紙サイズをＡ４として用紙に対する原稿の向きが横向きとなるように設定情報を変更してもよい。また、出力用紙サイズをＡ４として用紙に対する原稿の向きが横向きとなるようにし、且つ用紙１枚に２ページ分の画像がまとめて印刷されるように設定情報を変更してもよい。
【００８５】
ここで、他の具体例を挙げて説明する。
【００８６】
クライアント装置１０のアプリケーションソフトで生成された２ページ分のファイルのデータ（識別情報はファイル名とする）を印刷する際、印刷範囲を「すべて」とする設定情報を含む印刷情報（１回目の印刷情報）をプリントサーバ１２に送信して印刷したところ、２ページ分が印刷された（図１１（Ａ）参照。）。しかしながら、この利用者が本来必要であったページは１ページ目だけだったため、１回目の印刷情報を送信してから設定時間内に、図１２に示すように、印刷範囲が１ページ目となるように設定情報を変更した２回目の印刷情報を送信して１ページ目だけを再印刷させた（図１１（Ｂ）参照。）。ここでは、２回目の印刷情報に含まれる設定情報が本登録されるため、その後は同じファイル名のデータを印刷対象とする印刷情報がプリントサーバ１２で受信された場合には、本登録された２回目の設定情報が利用可能になる。なお、フローチャートにあてはめた説明はここでは省略する。
【００８７】
なお、プリントサーバ１２の動作は、上述した実施の形態に限定されるものではない。
【００８８】
例えば、上記実施の形態では、データの識別情報と設定情報とを対応付けて記憶するだけでなく、送信元ＩＤもあわせて記憶して登録する例について説明したが、送信元ＩＤは登録内容に含めない構成としてもよい。すなわち、上記実施の形態では、仮登録後に受信した印刷情報に基づいて本登録を行う場合には、送信元ＩＤが同じ印刷情報に含まれる設定情報が対象となっているが、送信元ＩＤが異なる印刷情報であっても、該印刷情報に含まれる設定情報を本登録の対象として扱ってもよい。具体的には、ステップ１１０、ステップ１１８の処理を削除し、ステップ１０６で肯定判断した後にステップ１１２の処理が行われるように構成する。
【００８９】
また、上記実施の形態では、仮登録後に本登録が行われる例について説明したが、仮登録や本登録の概念は採用せず、図４に示すフローチャートの代わりに図１３に示すフローチャートに示す処理ルーチンを実行するようにしてもよい。
【００９０】
図１３のステップ２００では、データＡの設定情報が既に登録されているか否かを判断する。なお、ここでは、既に登録されている設定情報と受信した印刷情報に含まれる設定情報との異同は問わない。ステップ２００で否定判断した場合にはステップ２０２に進む。
【００９１】
ステップ２０２では、受信した印刷情報に含まれる設定情報に従って、該印刷情報に含まれるデータが印刷されるように画像データ及び制御命令を生成してプリンタ１４に送信する。これにより、受信した印刷情報に含まれるデータが、受信した印刷情報に含まれる設定情報に従って印刷される。
【００９２】
ステップ２０４では、確認画面（１）の表示データをデータＡの印刷情報の送信元に送信して、送信元のクライアント装置１０の表示部２３に確認画面（１）を表示させる。クライアント装置１０の操作者は、該確認画面（１）において「はい（Ｙ）」又は「いいえ（Ｎ）」を選択指示し、プリントサーバ１２に選択結果を送信する。
【００９３】
ステップ２０６では、送信元のクライアント装置１０から受信した選択結果が、設定情報を登録する旨を示しているか否かを判断する。受信した選択結果が登録する（すなわち、「はい（Ｙ）」が選択指示された）ことを示していた場合には、ステップ２０６で、肯定判断され、ステップ２０８に進む。
【００９４】
ステップ２０８では、識別情報（データＡ）と上記印刷情報に含まれる設定情報とが対応付けて記憶され登録される。なお、ここでは、送信元ＩＤをあわせて記憶して登録してもよいし、記憶しなくてもよい。
【００９５】
また、ステップ２０６で否定判断された場合には、ステップ２０８の登録処理は行わずに本処理ルーチンを終了する。
【００９６】
一方、ステップ２００で否定判断された場合には、図５のステップ１２０に進み、上記と同様の処理を行う。
【００９７】
なお、ステップ２０４は行わずに、すなわち、送信元に確認することなく、ステップ２０４の後にステップ２０８の登録を行うようにしてもよい。
【００９８】
また、上記実施の形態では、１つの識別情報に対して内容の異なる複数の設定情報を登録することが不能な構成としたが、１つの識別情報に対して内容の異なる複数の設定情報を登録することが可能な構成としてもよい。
【００９９】
例えば、上記実施の形態では、図５のステップ１２２で否定判断された後、ステップ１２６で肯定判断された場合には、登録されている設定情報を、新たに受信したデータＡの印刷情報に含まれる設定情報に変更する例について説明したが、例えば、ステップ１２６で、確認画面（３）の代わりに、例えば図１４に示す確認画面（４）を表示して、追加して登録するか否かの選択を送信元に行わせ、追加して登録する旨の選択結果（該確認画面（４）において「はい（Ｙ）」が選択指示されたときの選択結果）が受信された場合には、ステップ１３０で、既に登録されている設定情報を消去せずに、新たに受信したデータＡの印刷情報に含まれる設定情報を追加して登録する。そして、ステップ１３２では、新たに追加登録された設定情報を用いて印刷が行われるように制御するようにしてもよい。
【０１００】
また、その後に、データＡの印刷情報がクライアント装置１０からプリントサーバ１２に送信された場合に、上記追加された設定情報を含め登録されている設定情報の一覧を送信元のクライアント装置１０に表示させ、いずれかを選択させるように構成してもよい。プリントサーバ１２は、クライアント装置１０の選択結果を受信すると、該選択結果が示す設定情報を用いて印刷が行われるように制御する。
【０１０１】
また、登録件数（登録されている識別情報又は設定情報の数）に上限値を設け、登録件数が上限値に到達した後に、新たに登録処理を行うこととなった場合には、既に登録されている識別情報及び設定情報のうち登録時期が古いものから順に削除して、登録件数が上限値を超えないように制御してもよい。すなわち、登録件数が上限値に到達した後に、新たに登録処理を行う場合には、登録前に登録時期が古いものを削除して空き領域を確保してから登録する。
【０１０２】
例えば、図１５に示す確認画面（５）を印刷情報の送信元のクライアント装置１０に表示して、登録時期が古いものを削除するか否かの選択を行わせ、プリントサーバ１２において、古いものを削除して登録する旨の選択結果（該確認画面（５）において「はい（Ｙ）」が選択指示されたときの選択結果）が受信された場合には、古い登録を削除して、新たに設定情報を登録するようにしてもよい。
【０１０３】
また、プリントサーバ１２で登録を維持する期間（登録期間）を予め設定しておき、設定情報の登録後に該登録期間が経過したときに該設定情報の登録内容を削除するようにしてもよい。また、登録された設定情報を用いて印刷されてから予め定められた期間が経過するまでに該登録された設定情報を用いた印刷が行われなかった場合に、該登録内容を削除するようにしてもよい。
【０１０４】
更にまた、上記実施の形態では、既に設定情報が登録されているデータについて、設定情報を変更して印刷させた場合に、図４のステップ１１４では、設定情報の内容に変更があれば送信元に確認せずに登録を変更し、図５の１３０では、送信元に確認し、登録することが選択指示された場合には登録を変更し、登録しないことが選択指示された場合には、登録を変更しない例について説明したが、これに限定されない。例えば、登録されている設定情報とは異なる設定情報で印刷させた場合に、送信元に確認せずに登録変更する第１の処理と、登録変更前に送信元に確認し送信元から登録変更すると指示があった場合には登録変更すると共に登録変更しないと指示があった場合には登録変更しない第２の処理のいずれか一方の処理が行われるように、予めプリントサーバ１２に設定しておくようにしてもよい。これにより、プリントサーバ１２は、設定に従って、第１の処理、及び第２の処理をいずれかを行う。また、この設定を、例えば、ステップ１１４及びステップ１３０の各ステップ毎に設定可能に構成してもよい。
【０１０５】
また、上記実施の形態では、プリントサーバ１２が上記処理ルーチン等を実行して識別情報及び印刷設定情報を登録して印刷設定情報を再利用可能とする例について説明したが、これに限定されない。例えば、図１６に示すように、プリントサーバ１２を設けずに、プリンタ１４を通信手段１６に接続して各クライアント装置１０と通信可能に構成し、プリンタ１４に上記プリントサーバ１２の機能を設け、プリンタ１４のＣＰＵ３０が上記処理ルーチンのプログラム（例えば、ＲＯＭ３１に記憶しておいてもよい）を実行することにより、上記処理ルーチンを実行して、予め定められた記憶手段に上記説明したように登録して再利用可能に構成してもよい。例えば、ＲＡＭ３２の記憶領域に登録してもよいし、プリンタ１４に別途フラッシュメモリ等の記憶手段を設け、該記憶手段に登録するようにしてもよい。
【符号の説明】
【０１０６】
１０   クライアント装置
１２   プリントサーバ
１４   プリンタ
１６   通信手段
２０   ＣＰＵ
２１   ＲＯＭ
２２   ＲＡＭ
２３   表示部
２４   操作部
２５   ＨＤＤ
２６   通信ＩＦ
２７   ＩＦ
２８   バス
３０   ＣＰＵ
３１   ＲＯＭ
３２   ＲＡＭ
３３   印刷部
３４   ＩＦ
３５   バス
【図１】
2011198289.tif 000003
【図２】
2011198289.tif 000004
【図３】
2011198289.tif 000005
【図４】
2011198289.tif 000006
【図５】
2011198289.tif 000007
【図６】
2011198289.tif 000008
【図７】
2011198289.tif 000009
【図８】
2011198289.tif 000010
【図９】
2011198289.tif 000011
【図１０】
2011198289.tif 000012
【図１１】
2011198289.tif 000013
【図１２】
2011198289.tif 000014
【図１３】
2011198289.tif 000015
【図１４】
2011198289.tif 000016
【図１５】
2011198289.tif 000017
【図１６】
2011198289.tif 000018